(57)【要約】      （修正有）【課題】折畳みシート表面の伝達情報の大きな情報量を維持したまま、付録をコンパクトに形成でき、取扱い易く、携帯し易く、印刷物本体の寸法、形状等を自由に設定でき、興趣に富み、種々のタイプのダイレクトメールに適合し易く、構成簡素で、量産し易く、経済的な折畳み展開自在な付録を有する印刷物を提供する。【解決手段】印刷物本体Ａと、印刷物本体Ａに付設する付録とを備え、付録は、複数のシート小片を縦横に連設すると共に、折畳み、展開自在となる折畳みシート３と、折畳みシート３の対角上にあるシート小片に接着する表紙片１及び切離し用表紙片２とからなり、折畳みシート３の表面に適宜伝達情報を表示し、切離し用表紙片２を、印刷物本体Ａの一部で構成すると共に、切離し用切込線２ａによって印刷物本体Ａから切離せるよう構成する。【選択図】図１
0003148703.tif 000002
【実用新案登録請求の範囲】
【請求項１】
台紙状に形成されると共に、その表面に適宜印刷が施されている印刷物本体と、この印刷物本体に付設される付録とを備え、前記付録は、複数のシート小片が縦横に連設されると共に、複数のシート小片が略重合状に折畳み、展開自在となるように形成される折畳みシートと、この折畳みシートの対角上にあるシート小片に接着される表紙片及び切離し用表紙片とからなり、前記付録の折畳みシートの表面に、地図、各種路線図、カレンダー表示、会社案内表示、或いは商品案内表示等の適宜伝達情報を表示し、前記切離し用表紙片を、印刷物本体の一部で構成すると共に、切離し用切込線によって印刷物本体から切離せるように構成したことを特徴とする折畳み展開自在な付録を有する印刷物。
【請求項２】
前記印刷物本体及び付録を、包装用透明袋に収納したことを特徴とする請求項１記載の折畳み展開自在な付録を有する印刷物。
【考案の詳細な説明】
【技術分野】
【０００１】
本考案は、主に、商品案内や、会社案内や、その他宣伝、広告のために利用されるダイレクトメート用として最適となる折畳み展開自在な付録を有する印刷物に関するものである。
【背景技術】
【０００２】
従来、ダイレクトメール用の印刷物としては、例えば、特許文献１に示すような往復葉書が開示されている。
これは、往信葉書と返信葉書が折目線を介して二つ折り自在に連設されている往復葉書本体と、この往復葉書本体の往信葉書裏面に接着される折畳みシートとからなり、この往復葉書本体は、その周縁部分に配した接着部を介して往信葉書裏面と返信葉書表面とが剥離可能に接着されると共に、折畳み状態の折畳みシートを往信葉書と返信葉書で挟むことができるように形成され、前記折畳みシートは、複数のシート小片を谷折り線や山折り線を介して縦横に連設して形成されると共に、複数のシート小片４が略重合状に折畳み、展開自在となるように形成され、折畳みシートの表面や裏面には、宣伝広告や伝達情報等の適宜情報を表示したものである。
【０００３】
【特許文献１】実用新案登録第３１３２０８８号公報
【考案の開示】
【考案が解決しようとする課題】
【０００４】
ところが、前述の如き往復葉書にあっては、情報量をかなり増大できるようになったが、適宜情報が表示されている折畳みシートは、往復葉書本体と共に持ち歩くようになり、携帯性が悪い難点があった。しかも、往復葉書本体は、その寸法が限定されており、その他の大きな寸法でのものを提供し難い問題点があった。
【０００５】
そこで、本考案は、前述の如き難点等を解消して、大きな情報量を維持したまま、コンパクトに形成できて、携帯し易くなるようにし、また、印刷物全体の寸法が限定されるようなこともなく、適宜自由な寸法に設定できるようにし、しかも、構成が簡素で、量産に適し、取扱い易く、興趣に富み、経済的な折畳み展開自在な付録を有する印刷物を提供できるようにすべく案出されたものである。
【課題を解決するための手段】
【０００６】
しかして、前述の如き課題を達成できるようにすべく、請求項１記載の折畳み展開自在な付録を有する印刷物にあっては、台紙状に形成されると共に、その表面に適宜印刷が施されている印刷物本体Ａと、この印刷物本体Ａに付設される付録Ｂとを備え、前記付録Ｂは、複数のシート小片４が縦横に連設されると共に、複数のシート小片４が略重合状に折畳み、展開自在となるように形成される折畳みシート３と、この折畳みシート３の対角上にあるシート小片４に接着される表紙片１及び切離し用表紙片２とからなり、前記付録Ｂの折畳みシート３の表面に、地図、各種路線図、カレンダー表示、会社案内表示、或いは商品案内表示等の適宜伝達情報を表示し、前記切離し用表紙片２を、印刷物本体Ａの一部で構成すると共に、切離し用切込線２ａによって印刷物本体Ａから切離せるように構成する手段を採用した。
【０００７】
また、請求項２記載の折畳み展開自在な付録を有する印刷物にあっては、前記印刷物本体Ａ及び付録Ｂを、包装用透明袋Ｃに収納する手段を採用した。
【考案の効果】
【０００８】
従って、請求項１記載の折畳み展開自在な付録を有する印刷物によれば、展開状態の折畳みシート３をかなり大きく形成することが可能で、その表面に表示した伝達情報の情報量をかなり増大させることができるようになり、例えば、ダイレクトメートや、招待状等として最適な印刷物となる。
しかも、その構成が簡素で、量産し易く、経済的な印刷物となる。
【０００９】
特に、切離し用表紙片２を、印刷物本体Ａの一部で構成すると共に、切離し用切込線２ａによって印刷物本体Ａから切離せるように構成したので、折畳みシート３の表面に表示した伝達情報の大きな情報量を維持したまま、付録Ｂをコンパクトに形成できるようになり、取扱い易く、付録Ｂを携帯し易いものとなる。
しかも、印刷物本体Ａの寸法、形状等を自由に設定できるようになり、興趣に富み、種々のタイプのダイレクトメールに適合し易いものとなる。
【００１０】
また、請求項２記載の折畳み展開自在な付録を有する印刷物によれば、包装用透明袋Ｃによって、印刷物本体Ａ及び付録Ｂをより確実に保護した状態で郵送（宅配）できるようになると共に、印刷物本体Ａ及び付録Ｂを包装用透明袋Ｃ外部から視認させることができるようになる。すなわち、付録Ｂを受取人に着目させることができるようになる。ひいては、受取人に付録Ｂへの興味を抱かせることが可能となり、包装用透明袋Ｃ内の印刷物本体Ａや付録Ｂを見ることなく、そのまま廃棄してしまうことを防げるようになる。
【考案を実施するための最良の形態】
【００１１】
以下、本考案を図示例に基づいて説明すると、次の通りである。
本考案は、主に、商品案内や、会社案内や、その他宣伝、広告のために利用されるダイレクトメート用として（或いは、招待状用として）最適となる折畳み展開自在な付録を有する印刷物に係るものである。
そして、具体的には、台紙状に形成されると共に、その表面に適宜印刷が施されている印刷物本体Ａと、この印刷物本体Ａに付設される付録Ｂとを備えたものである。
また、前記付録Ｂは、複数のシート小片４が縦横に連設されると共に、複数のシート小片４が略重合状に折畳み、展開自在となるように形成される折畳みシート３と、この折畳みシート３の対角上にあるシート小片４に接着される表紙片１及び切離し用表紙片２とで構成されている。
更に、前記付録Ｂの折畳みシート３の表面に、地図、各種路線図、カレンダー表示、会社案内表示、或いは商品案内表示等の適宜伝達情報を表示してある。
しかも、前記切離し用表紙片２を、印刷物本体Ａの一部で構成すると共に、切離し用切込線２ａによって印刷物本体Ａから切離せるように構成してある。
加えて、前記印刷物本体Ａ及び付録Ｂは、包装用透明袋Ｃに収納されるようになる。
【実施例】
【００１２】
前記印刷物本体Ａは、例えば、適宜紙材（或いは、合成樹脂材、複合材等でも良い）によって矩形台紙状に形成されている。しかも、定形郵便物と同じ寸法や、定形外郵便物の寸法や、適宜判型（例えば、Ａ４、Ｂ５、その他）等に形成することができる。すなわち、印刷物本体Ａを定形郵便物と同じ寸法とすることにより、低料金で本考案の印刷物を送ることができるようになる。
また、印刷物本体Ａは、適宜冊子の一部（例えば、冊子の表紙や裏表紙や中綴じシート等）であっても良い。
そして、印刷物本体Ａの表面には、例えば、比較的簡単な商品案内や、比較的簡単な会社案内や、比較的簡単な宣伝広告や、その他の適宜表示が印刷されている。
尚、印刷物本体Ａの具体的構成、形状、寸法、材質、表面に施される適宜印刷等は、図示例のもの等に限定されることなく、適宜自由に設定、変更できるものである。
【００１３】
前記付録Ｂは、例えば、略矩形状の表紙片１と、この表紙片１と同形状、同寸法となる切離し用表紙片２と、複数のシート小片４が略重合状に折畳み、展開自在となるように形成される略矩形状の折畳みシート３とからなっている。
そして、印刷物本体Ａの任意の位置（例えば、図示例では印刷物本体Ａの右下隅部分）に付設することができると共に、その携帯性を考慮して印刷物本体Ａに比べかなり小さく且つコンパクトに構成されるようになっている。
尚、付録Ｂの具体的構成、形状、寸法、材質、配設位置等は、図示例のもの等に限定されることなく、適宜自由に設定、変更できるものである。
【００１４】
前記表紙片１は、例えば、印刷物本体Ａと同程度の厚みとなる略矩形状の紙材（或いは、合成樹脂材や複合材等でも良い）が利用され、折畳み状態の折畳みシート３を保護すると共に、手指で掴み易いように形成されている。
尚、表紙片１の具体的構成、形状、寸法、材質、配設位置等は、図示例のもの等に限定されることなく、適宜自由に設定、変更できるものである。
【００１５】
前記切離し用表紙片２は、例えば、印刷物本体Ａの一部で構成されると共に、切離し用切込線２ａによって印刷物本体Ａから切離せるように構成されている。ところで、切離し用表紙片２は、図示例のように印刷物本体Ａの隅部に形成しても良いし、印刷物本体Ａの中央部や、その他の位置に配置することができるが、特に、隅部に設けた場合は、より簡単に印刷物本体Ａから切離せるようになる。
尚、切離し用表紙片２の具体的構成、形状、寸法、材質、配設位置等は、図示例のもの等に限定されることなく、適宜自由に設定、変更できるものである。
【００１６】
前記折畳みシート３は、例えば、比較的薄い適宜紙材（或いは、適宜合成樹脂材や適宜複合材等を、シート状やフィルム状に形成したものでも良い）で形成されており、複数の略矩形状（例えば、平行四辺形状、台形状、或いは長方形状）を呈するシート小片４を谷折り線５や山折り線６を介して縦横に連設すると共に、複数のシート小片４が略重合状に折畳み、展開自在となるよう形成されている。しかも、展開状態が略矩形状を呈するように形成されている。そして、この折畳みシート３の対角上にある一方の隅部（例えば、右下隅部）のシート小片４に表紙片１が接着され、他方の隅部（例えば、左上隅部）のシート小片４に切離し用表紙片２が接着されている。
また、折畳みシート３は、その折畳み状態のときに、表紙片１や切離し用表紙片２内に余裕を持って治まるように形成されている。
加えて、折畳みシート３は、シート小片４夫々が略重なるようにスムーズに折畳めると共に、この折畳み状態からスムーズに展開状態に移行できるよう構成されている。
【００１７】
ところで、谷折り線５と山折り線６が設けられている折畳みシート３は、例えば、頂点及び隣合った２側辺を共有させた状態で略矢羽根状に配置された４個の平行四辺形で構成された基本領域の集合で作られ、矢羽根方向と交差する方向の側辺のうち矢羽根方向に隣合ったものどうしが相反するように且つ矢羽根方向に対し直角な方向に隣合ったものどうしが同方向に山折り（山折り線６）、谷折り（谷折り線５）とされ、矢羽根方向に平行な側辺のうち矢羽根方向に隣合ったものどうし並びに矢羽根方向に直角な方向に隣合ったものどうしが相反するように山折り（山折り線６）、谷折り（谷折り線５）に折畳まれるものである。
尚、折畳みシート３は、スムーズに且つコンパクトに折畳めると共に、この折畳み状態からスムーズに展開状態に移行できるように構成されたものであれば良く、特に図示例のもの等に限定されるものではない。
【００１８】
そして、折畳みシート３の表面（或いは裏面、或いは表面と裏面）には、適宜地図や、各種路線図や、カレンダー表示や、会社案内表示や、商品案内表示や、適宜宣伝、広告（例えば、適宜商品の宣伝広告や、不動産の宣伝広告や、各種イベントの宣伝広告や、お知らせ、その他）や、適宜案内状や招待状等の具体的な伝達情報（例えば、日時、場所、地図、その他）等の適宜情報が印刷手段等によって表示されるようになっている。
尚、折畳みシート３の具体的構成、形状、寸法、材質、表面の伝達表示等は、図示例のもの等に限定されることなく、適宜自由に設定、変更できるものである。
【００１９】
前記包装用透明袋Ｃは、例えば、適宜透明な樹脂シート材によって略矩形袋状に形成されており、印刷物本体Ａ及び付録Ｂをスムーズに収納できるように構成されている。
尚、包装用透明袋Ｃの具体的構成、形状、寸法、材質等は、図示例のもの等に限定されることなく、適宜自由に設定、変更できるものである。
【００２０】
ところで、図中７は宛名シールで、この宛名シール７は、包装用透明袋Ｃの表面に接着できるように形成されている。
【図面の簡単な説明】
【００２１】
【図１】本考案の印刷物を例示する分解斜視図である。
【図２】本考案の印刷物の使用例を示す斜視図である。
【図３】本考案の印刷物を例示する展開正面図である。
【符号の説明】
【００２２】
Ａ    印刷物本体
Ｂ    付録
１    表紙片
２    切離し用表紙片
２ａ  切離し用切込線
３    折畳みシート
４    シート小片
５    谷折り線
６    山折り線
Ｃ    包装用透明袋
７    宛名シール
【図１】
0003148703.tif 000003
【図２】
0003148703.tif 000004
【図３】
0003148703.tif 000005